(57)【特許請求の範囲】
【請求項１】
開口部を有する筐体と、少なくとも一部が前記開口部から露出した、押圧操作可能な操作体と、当該操作体を押圧操作前の初期状態に復帰させるバネ部材と、前記操作体への押圧操作に伴って駆動されるプッシュスイッチと、当該プッシュスイッチが載置された基板とを備えたスイッチ装置において、
前記プッシュスイッチには、上面に操作部が設けられており、
前記バネ部材は、前記基板に隙間を有して対向配置される板バネからなり、前記板バネは、一端側に前記操作部と対向する押圧部を有し、他端側に前記板バネが片持ち状態で変位可能に支持される支持部が設けられていると共に、前記一端側と他端側との間には、前記操作体が載置される板状の載置部が設けられていて、更に、前記押圧部と前記載置部との間には、前記操作体が押圧操作された際に前記基板と当接可能な当接部が設けられており、
前記操作体が押圧操作されると、前記板バネが前記支持部を支点として前記基板側へ変位して前記押圧部が前記プッシュスイッチの操作部を押圧し、更に大きな荷重で前記操作体が押し込まれた際には、前記当接部が前記基板に当接し、当該当接部を支点として、前記載置部が更に前記基板側へ変位すると共に、前記押圧部が前記操作部から離れる方向へ動いて前記操作部への押圧力を減少させる、
ことを特徴とするスイッチ装置。
【請求項２】
前記押圧部は、当該押圧部が前記プッシュスイッチの前記操作部から離れる方向へ動いた後に前記操作部への押圧を解除する、
ことを特徴とする請求項１に記載のスイッチ装置。
【請求項３】
前記載置部は、上方向に突出したアーチ状に形成されている、
ことを特徴とする請求項１又は請求項２に記載のスイッチ装置。
【請求項４】
前記支持部は、前記筐体に固定されている、
ことを特徴とする請求項１乃至請求項３のいずれかに記載のスイッチ装置。
【請求項５】
前記板バネの他端側には板バネ開口部が設けられていると共に、前記板バネ開口部を取り囲むように、前記押圧部の幅及び前記載置部の幅より広い外形幅を有する環状部が形成されていて、
前記支持部が前記環状部の他端側の中央部に設けられていると共に、前記板バネは、前記支持部の１点のみで前記筐体に固定されている、
ことを特徴とする請求項４に記載のスイッチ装置。
【請求項６】
前記基板には、アースパターンが設けられており、前記板バネの他端側には、前記アースパターンに当接可能な接地用の突出片が設けられている、
ことを特徴とする請求項１乃至請求項５のいずれかに記載のスイッチ装置。
【請求項７】
前記筐体には、前記突出片の根元に当接する押さえ部が設けられている、
ことを特徴とする請求項６に記載のスイッチ装置。
【発明の詳細な説明】
【技術分野】
【０００１】
本発明は、スイッチ装置に関し、特に過荷重が加わってもスイッチ素子が破損しにくいスイッチ装置に関する。
【背景技術】
【０００２】
従来、各種電子機器に用いられるスイッチ装置として、１つの操作体で複数の操作機能を有するスイッチ装置が存在する。このような従来のスイッチ装置として、下記の特許文献１に記載の操作装置９００が知られている。図９を用いて操作装置９００について説明する。
【０００３】
操作装置９００は、押圧操作可能な操作体９１１と、操作体９１１が押圧された時に動作する第１の入力部９２１および第２の入力部９２２とを有し、第１の入力部９２１を押圧する押圧位置と第１の入力部９２１の押圧を解除する押圧解除位置との間で移動する押圧部材９１７と、押圧部材９１７を押圧位置へ向けて付勢する第１の付勢部材９１８と、操作体９１１を初期位置に復帰させると共に、操作体９１１を介して押圧部材９１７を押圧解除位置へ移動させる第２の付勢部材９１６と、を有している。操作体９１１が押圧されると、第１の付勢部材９１８の付勢力によって押圧部材９１７が押圧位置へ移動して第１の入力部９２１が動作すると共に、操作体９１１の押圧力によって第２の入力部９２２が動作する。
【０００４】
このような構成によって、操作体９１１を押圧した時に、押圧部材９１７が第１の付勢部材９１８の付勢力によって動作して第１の入力部９２１を動作させる構造であるため、操作体９１１を押した時に第１の入力部９２１が確実に動作するようになる。また、第１の入力部９２１を動作させる際の操作体９１１の押圧ストロークや操作体９１１を押圧するときの反力などを、ばらつき少なく設定しやすいという効果を奏する。
【先行技術文献】
【特許文献】
【０００５】
【特許文献１】特開２０１０−１６１０００号公報
【発明の概要】
【発明が解決しようとする課題】
【０００６】
しかしながら、操作装置９００のようなスイッチ装置では、落下するなどして操作体９１１に非常に大きな力（過荷重）が加わった場合、その力が第２の入力部９２２で直接受け止められることになる。そのため、スイッチ素子である第２の入力部９２２が破損する恐れがあった。
【０００７】
本発明はこのような従来技術の実情に鑑みてなされたもので、操作体に過荷重が加えられたとしても、スイッチ素子が破損しにくいスイッチ装置を提供することを目的とする。
【課題を解決するための手段】
【０００８】
上記課題を解決するために本発明のスイッチ装置は、開口部を有する筐体と、少なくとも一部が前記開口部から露出した、押圧操作可能な操作体と、当該操作体を押圧操作前の初期状態に復帰させるバネ部材と、前記操作体への押圧操作に伴って駆動されるプッシュスイッチと、当該プッシュスイッチが載置された基板とを備えたスイッチ装置において、前記プッシュスイッチには、上面に操作部が設けられており、前記バネ部材は、前記基板に隙間を有して対向配置される板バネからなり、前記板バネは、一端側に前記操作部と対向する押圧部を有し、他端側に前記板バネが片持ち状態で変位可能に支持される支持部が設けられていると共に、前記一端側と他端側との間には、前記操作体が載置される板状の載置部が設けられていて、更に、前記押圧部と前記載置部との間には、前記操作体が押圧操作された際に前記基板と当接可能な当接部が設けられており、前記操作体が押圧操作されると、前記板バネが前記支持部を支点として前記基板側へ変位して前記押圧部が前記プッシュスイッチの操作部を押圧し、更に大きな荷重で前記操作体が押し込まれた際には、前記当接部が前記基板に当接し、当該当接部を支点として、前記載置部が更に前記基板側へ変位すると共に、前記押圧部が前記操作部から離れる方向へ動いて前記操作部への押圧力を減少させる、という特徴を有する。
【０００９】
このように構成されたスイッチ装置は、過荷重が操作体に加えられた際に、板バネの押圧部がスイッチ素子であるプッシュスイッチの操作部から離れる方向へ動いて操作部への押圧力を減少させるので、過荷重がプッシュスイッチに加えられることが無い。そのため、スイッチ素子の破損を防止することができる。
【００１０】
また、上記の構成において、前記押圧部は、当該押圧部が前記プッシュスイッチの前記操作部から離れる方向へ動いた後に前記操作部への押圧を解除する、という特徴を有する。
【００１１】
このように構成されたスイッチ装置は、板バネの押圧部がプッシュスイッチの操作部から離れる方向に動いた後に、押圧部が操作部への押圧を解除するので、プッシュスイッチの破損を確実に防止することができる。
【００１２】
また、上記の構成において、前記載置部は、上方向に突出したアーチ状に形成されている、という特徴を有する。
【００１３】
このように構成されたスイッチ装置は、載置部をアーチ状に形成することによって載置部と基板との間の隙間を大きくすることができるので、操作体に過荷重が加えられて、当接部が基板に当接した際、プッシュスイッチの操作部から離れる方向への押圧部の移動量も増え、操作部への押圧を確実に解除することができる。
【００１４】
また、上記の構成において、前記支持部は、前記筐体に固定されている、という特徴を有する。
【００１５】
このように構成されたスイッチ装置は、支持部を筐体に固定することによって、簡単な構成でバネ部材を支持することができる。
【００１６】
また、上記の構成において、前記板バネの他端側には板バネ開口部が設けられていると共に、前記板バネ開口部を取り囲むように、前記押圧部の幅及び前記載置部の幅より広い外形幅を有する環状部が形成されていて、前記支持部が前記環状部の他端側の中央部に設けられていると共に、前記板バネは、前記支持部の１点のみで前記筐体に固定されている、という特徴を有する。
【００１７】
このように構成されたスイッチ装置は、板バネに設けられた板バネ開口部を取り囲むように環状部を形成させたので、一点で固定された支持部からの応力を、環状部を介して分散させることができ、板バネに掛かる負荷を軽減させることができる。
【００１８】
また、上記の構成において、前記基板には、アースパターンが設けられており、前記板バネの他端側には、前記アースパターンに当接可能な接地用の突出片が設けられている、という特徴を有する。
【００１９】
このように構成されたスイッチ装置は、操作体からの静電気を、突出片を介して基板のアースパターンへ逃がすことができるので、集積回路等の電子部品が基板上に実装されていても、これらの電子部品が静電気によって破壊されることを防止することができる。
【００２０】
また、上記の構成において、前記筐体には、前記突出片の根元に当接する押さえ部が設けられている、という特徴を有する。
【００２１】
このように構成されたスイッチ装置は、操作体が押圧された際に、板バネの突出片が基板のアースパターンから浮くことを、筐体に設けられた押さえ部によって防止することができる。
【発明の効果】
【００２２】
本発明のスイッチ装置は、過荷重が操作体に加えられた際に、板バネの押圧部がスイッチ素子であるプッシュスイッチの操作部から離れる方向へ動いて操作部への押圧力を減少させるので、過荷重がプッシュスイッチに加えられることが無い。そのため、スイッチ素子の破損を防止することができる。
【図面の簡単な説明】
【００２３】
【図１】本発明の実施形態におけるスイッチ装置を構成する各部材を示す分解斜視図である。
【図２】スイッチ装置の外観を示す斜視図である。
【図３】スイッチ装置の平面図である。
【図４】バネ部材の構造を示す斜視図である。
【図５】基板上のプッシュスイッチとバネ部材とを示す平面図である。
【図６】バネ部材の筐体への取付け構造を示す模式図である。
【図７】スイッチ装置の断面図である。
【図８】スイッチ装置の動作の状態を示す断面図である。
【図９】従来例に係るスイッチ装置の構成を示す断面図である。
【発明を実施するための形態】
【００２４】
［実施形態］
以下、本発明のスイッチ装置１００の実施形態について図面を参照しながら説明する。スイッチ装置１００は、例えば、ゲーム機用コントローラ等における複数の操作機能を有するスイッチ装置として用いられるものである。尚、本発明のスイッチ装置の用途については、これらに限定されるものではなく適宜変更が可能である。例えば、本発明のスイッチ装置が、複数の操作機能を有さない単機能のスイッチ装置であっても良い。また、本明細書では、特に断りの無い限り、各図面の＋Ｘ側を右側、−Ｘ側を左側、＋Ｙ側を後側、−Ｙ側を前側、＋Ｚ側を上側、−Ｚ側を下側として説明する。
【００２５】
最初に、図１乃至図３を参照して、スイッチ装置１００の全体構成について簡単に説明する。図１は、スイッチ装置１００を構成する各部材を示す分解斜視図であり、図２は、スイッチ装置１００の外観を示した斜視図である。また、図３は、スイッチ装置１００の平面図である。尚、図３において、筐体２０を透明であると想定して２点鎖線で表示している。
【００２６】
図１に示すように、スイッチ装置１００は、プッシュスイッチ５と、操作体７と、バネ部材１０と、筐体２０と、基板３０と、これらを互いに固定するためのネジ４１と、を備えて構成されている。
【００２７】
スイッチ装置１００には、図２に示すように、開口部２１ａを有する筐体２０と、少なくとも一部が筐体２０の開口部２１ａから露出した押圧操作可能な操作体７と、当該操作体７を押圧操作前の初期状態に復帰させるバネ部材１０と、操作体７への押圧操作に伴って駆動されるプッシュスイッチ５と、が取付けられている。また、スイッチ装置１００は基板３０を有し、プッシュスイッチ５が当該基板３０の上面に搭載されている。
【００２８】
図２に示すように、筐体２０は天面部２１を有し、天面部２１の中央には開口部２１ａが設けられている。天面部２１は、剛性を持たせるために肉厚な合成樹脂材で形成されている。天面部２１の四隅には、４本の支柱４５が一体に設けられている。尚、図１においては、便宜上、支柱４５を天面部２１と分離して図示している。
【００２９】
図３に示すように、基板３０は、絶縁材料によって略長方形形状に形成されており、基板３０の四隅にはネジ穴３５が設けられている。ネジ穴３５は、支柱４５に対応して形成されており、図２に示すように、それぞれのネジ穴３５の下側から挿入されたネジ４１によって、基板３０は筐体２０に取り付けられる。
【００３０】
操作体７は、操作体７の上部がツマミ部７ａとなっており、ツマミ部７ａは、筐体２０の天面部２１の中央にある開口部２１ａから上方に露出しており、下方向に押圧操作可能となっている。本実施形態では、操作体７は、ツマミ部７ａを操作することによってツマミ部７ａが操作される方位を検出する機能と、プッシュスイッチ５を操作する機能との２つの機能を有している。尚、上記操作体７の機能として、必ずしも、方位を検出する機能を有していなくても良い。
【００３１】
プッシュスイッチ５は、図３に示すように、基板３０上に載置され、基板３０に設けられたスイッチ取付けパターン３３に、複数の端子部５ｂが半田付けされることによって取付けられる。プッシュスイッチ５の上面には操作部５ａが設けられており、操作体７への押圧操作に伴って、操作部５ａが下方向に押圧操作されることによって、プッシュスイッチ５をスイッチングすることができる。また、基板３０上には、集積回路等の電子部品３７が搭載されており、プッシュスイッチ５と接続されている。
【００３２】
バネ部材１０は、基板３０に隙間を有して対向配置される板バネ１１から成る。板バネ１１は金属板材から成り、筐体２０に取付けられる。板バネ１１の一端部には、押圧部１２が設けられており、押圧部１２がプッシュスイッチ５の操作部５ａに当接し、操作体７への押圧操作に伴って当該操作部５ａを駆動する。また、操作体７への押圧操作が解除された場合には、板バネ１１の弾性力によって、操作体７を押圧操作前の初期状態に復帰させる。尚、板バネ１１の構造及び筐体２０への取付け構造については、後に詳細に説明する。
【００３３】
操作体７は、平面視略正方形形状をした操作体本体７ｂが板バネ１１の上面に載置される。そのため、操作体７は板バネ１１の弾性力によって上方向に付勢される。操作体本体７ｂの外側面は、合成樹脂で形成されているが、操作体本体７ｂの下面及び側面には、金属から成るグランド板７ｃが取付けられていて、当該グランド板７ｃが板バネ１１に当接する。グランド板７ｃは、操作体７内の接地部（図示せず）に接続されている。
【００３４】
図３に示すように、操作体７の操作体本体７ｂの平坦な上面の四隅には、操作体本体７ｂの平坦な上面から上方向に突出している突起部７ｄが設けられている。また、筐体２０の、操作体７の複数の突起部７ｄに対向する位置には、それぞれ案内凹部２９が設けられており、操作体７が板バネ１１の上面に載置された際に、操作体７の突起部７ｄが、筐体２０の案内凹部２９に挿入される。そのため、操作体７が上下方向に押圧操作された際に、操作体７の突起部７ｄが筐体２０の案内凹部２９内を上下方向に移動可能となる。
【００３５】
尚、操作体７が操作されていない状態では、板バネ１１の弾性力によって上方向に付勢された操作体７の突起部７ｄの上端が筐体２０の案内凹部２９の天井面に当接するため、操作体７の上下方向の位置を規制することができる。また、操作体７の左右方向及び前後方向における位置は、突起部７ｄが筐体２０の案内凹部２９に挿入されることによって規制される。
【００３６】
また、図３に示すように、操作体７の略正方形形状をした操作体本体７ｂ下端の右側の２つの角には、それぞれ右方向に向けて、真ん中に円形の穴を有した円形状の位置決め部７ｅが設けられている。位置決め部７ｅは、操作体７と板バネ１１との間の位置決めのために用いられる。
【００３７】
次に、図４乃至図７を参照して、バネ部材１０の構造及びバネ部材１０の取付け構造、そしてスイッチ装置１００の構造について詳細に説明する。図４は、バネ部材１０の構造を示す斜視図であり、図５は、基板３０上のプッシュスイッチ５とバネ部材１０とを示す平面図である。また、図６は、バネ部材１０の筐体２０への取付け構造を示す模式図であり、図７は、操作体７がまだ操作されていない状態の、図３で示したＡ−Ａ線から見たスイッチ装置１００の断面図である。尚、図６では、筐体２０が透明であると想定すると共に、操作体７を省略して表示している。
【００３８】
バネ部材１０を構成する板バネ１１は、前述したように金属板材で形成されており、図４に示すように、左右方向に長い形状をしている。板バネ１１は、一端側（−Ｘ側）に前述した押圧部１２を有し、他端側（＋Ｘ側）に支持部１３が設けられている。それと共に、一端側と他端側との間には、板状の載置部１４が設けられていて、更に、押圧部１２と載置部１４との間には、操作体７が押圧操作された際に基板３０と当接可能な当接部１５が設けられている。
【００３９】
載置部１４は、操作体７を載置可能とするため幅広に形成されている。押圧部１２は、載置部１４の中央部から左方向に延伸して形成されていると共に、上方向に湾曲して形成されており、その幅は、プッシュスイッチ５の操作部５ａを押圧操作可能なように、載置部１４の幅よりも幅狭に形成されている。また、載置部１４は、前方向から見て、上方向に突出したアーチ状に形成されている。そのため、板バネ１１が基板３０上に位置した時、載置部１４の中央部と基板３０との間に隙間を生じさせることができる。尚、当接部１５は、載置部１４の、載置部１４と押圧部１２との境界部分の端部に位置する。
【００４０】
また、板バネ１１の他端側には、載置部１４と支持部１３との間に、板バネ開口部１６が設けられている。また、板バネ開口部１６の周囲に、押圧部１２の幅及び載置部１４の幅より広い外形幅を有する環状部１７が形成されている。上述した支持部１３は、環状部１７の他端側の前後方向（板バネ１１の短手方向である幅方向）における中央部に設けられている。従って、環状部１７は、支持部１３を始点として２方向（＋Ｙ方向と−Ｙ方向）に延伸し、板バネ開口部１６を取り囲むような形状になる。更に、環状部１７の他端側の前側及び後側には位置決め穴１９が設けられている。
【００４１】
また、板バネ１１の更に他端側には、環状部１７の他端側から幅狭で右側方向に突出する突出片１８が設けられている。突出片１８は、環状部１７の他端側から右側方向に水平に延伸し、一端下方向に湾曲し、次にその先が上方向に跳ね上がるような形状に形成されている。そのため、突出片１８は、上下方向に弾性を有している。
【００４２】
図５及び図７に示すように、板バネ１１の押圧部１２は、前述したプッシュスイッチ５の上面に設けられた操作部５ａと対向するように設けられている。押圧部１２は、円形状をしている操作部５ａの上面全体を覆う面積に設定されており、操作体７が押圧操作された際に、プッシュスイッチ５を確実にオンするように形成されている。
【００４３】
図７に示すように、板バネ１１の載置部１４の上には、操作体７の操作体本体７ｂが載置される。操作体７は、前述したように、筐体２０に設けられた案内凹部２９によって支持されながら、板バネ１１の載置部１４の上に載置されることになる。また、前述したように、載置部１４は、上方向に突出したアーチ状に形成されている。そのため、載置部１４を平坦に形成した場合に比較して、載置部１４の裏面と基板３０との間の隙間を大きく設定することができる。また、操作体本体７ｂの下面に取り付けられた金属製のグランド板７ｃが、金属で形成された板バネ１１の載置部１４に、弾性を有して当接する。その結果、板バネ１１と操作体７の接地点とが電気的に接続される。
【００４４】
板バネ１１の支持部１３は、筐体２０に固定され、板バネ１１が片持ち状態で変位可能に支持される。支持部１３は、図６及び図７に示すように、支持支柱２３の下端部に当接された状態でネジ４１によって支持支柱２３に取付けられる。支持支柱２３は、筐体２０（天面部２１）の前後方向の幅の中央部に一体に設けられる。尚、本実施形態では、支持部１３が支持支柱２３にネジ４１によって取付けられるが、接着等の他の方法によって取付けられても良い。
【００４５】
図６に示すように、筐体２０の支持支柱２３の前側及び後側には、その中央に位置決め用の突起２７ａを有した位置決め支柱２７が設けられている。位置決め支柱２７の突起２７ａは、前述した板バネ１１の位置決め穴１９に対応すると共に、図３で示した操作体７の位置決め部７ｅに設けられた円形の穴に対応するように設定されている。そして、下方に突出した突起２７ａは、操作体７の位置決め部７ｅに設けられた円形の穴を貫通し、板バネ１１の位置決め穴１９に挿入される。
【００４６】
しかしながら、操作体７の位置決め部７ｅに設けられた円形の穴の直径及び位置決め穴１９の直径は、突起２７ａの直径よりもわずかに大きく設定されているため、操作体７の位置決め部７ｅ及び板バネ１１は位置決め支柱２７の突起２７ａによって筐体２０に固定されることはない。即ち、操作体７の位置決め部７ｅ及び板バネ１１は突起２７ａによって位置決めされるだけである。従って、板バネ１１は、支持支柱２３の１点のみで筐体２０に固定されることになる。
【００４７】
基板３０の他端側には、アースパターン３１が設けられており、板バネ１１の他端側に設けられている接地用の突出片１８が、当該アースパターン３１に当接可能となっている。また、基板３０に設けられたアースパターン３１は、スイッチ装置１００が搭載されるゲーム機用コントローラ等の電子機器（図示せず）のアースパターンに接続される。
【００４８】
前述したように、操作体７のグランド板７ｃは板バネ１１に当接している。従って、操作体７のグランド板７ｃは、板バネ１１の載置部１４、突出片１８、及び基板３０に設けられたアースパターン３１を介して、スイッチ装置１００が搭載される電子機器のアースパターンに接続される。その結果、操作体７で発生する可能性のある静電気は、図３で示した基板３０上に搭載されている電子部品３７に加わることなく、電子機器のアースパターンに逃がすことができる。
【００４９】
図６及び図７に示すように、筐体２０には、板バネ１１の突出片１８の根元に当接する押さえ部２５が設けられている。押さえ部２５は、支持支柱２３の右側に一体で形成されており、平面視で略長方形形状をしている。板バネ１１の支持部１３がネジ４１によって筐体２０の支持支柱２３に取り付けられる際に、押さえ部２５が突出片１８の根元を押圧することになる。その結果、基板３０に設けられたアースパターン３１に板バネ１１の突出片１８を確実に当接させることができる。
【００５０】
次に、図７及び図８を参照して、スイッチ装置１００の動作について説明する。図７は、操作体７が押圧操作される前の初期状態を示している。図８は、スイッチ装置１００の動作の状態を示す断面図であり、図８（ａ）は、操作体７が押圧操作されて、プッシュスイッチ５が押圧操作される状態を示し、図８（ｂ）は、操作体７に過荷重が掛かった状態を示している。
【００５１】
操作体７が押圧操作される前においては、図７に示すように、板バネ１１が基板３０に隙間を有して対向配置されていると共に、支持部１３が筐体２０の支持支柱２３に支持されている。この時、操作体７の操作体本体７ｂは、グランド板７ｃを介して板バネ１１の載置部１４上に載置されている。また、押圧部１２は、プッシュスイッチ５の操作部５ａに対し、所定の距離を隔てて離間している。
【００５２】
次に、操作体７のツマミ部７ａが下方向に押圧操作されると、図８（ａ）に示すように、操作体本体７ｂ及び載置部１４も下方に押圧される。その結果、載置部１４が支持部１３を支点として基板３０側へ変位して押圧部１２がプッシュスイッチ５の操作部５ａを押圧する。その結果、プッシュスイッチ５をスイッチングし、オンとすることができる。この時、プッシュスイッチ５の操作部５ａには所定の押圧力が掛かっているが、それ以上の押圧力が掛かることはない。
【００５３】
尚、操作体７が押圧された際に、板バネ１１の他端にある突出片１８が支持部１３を支点として上方向に跳ね上がる可能性があるが、突出片１８は、筐体２０に設けられた押さえ部２５によって押さえ込まれているため、突出片１８が上方向に跳ね上がることはなく、突出片１８は、基板３０上のアースパターン３１に当接したままである。
【００５４】
次に、スイッチ装置１００を逆さまに落下させるなどして、操作体７のツマミ部７ａに、過荷重が掛かり、操作体７が押し込まれた際には、図８（ｂ）に示すように、載置部１４が下方に押圧される。その結果、板バネ１１の当接部１５が基板３０に当接する。そのため、載置部１４を更に基板３０側へ変位させる。すると、板バネ１１の押圧部１２側が当接部１５を支点として、上方向に跳ね上がるように変位する。
【００５５】
その結果、押圧部１２がプッシュスイッチ５の操作部５ａから離れる方向へ動いて操作部５ａへの押圧力を減少させる。そして、押圧部１２は、当該押圧部１２がプッシュスイッチ５の操作部５ａから離れる方向へ動いた後に操作部５ａへの押圧を解除する。尚、操作体７のツマミ部７ａへの過荷重がなくなると、操作体７は、板バネ１１の弾性力によって図７に示す操作体７が押圧操作される前の状態に戻る。
【００５６】
このように、操作体７のツマミ部７ａに過荷重が掛かった際に、板バネ１１の働きによって、プッシュスイッチ５をオフとすると共に、操作体７に加わった過荷重がプッシュスイッチ５に掛からないようにすることができる。
【００５７】
以下、本実施形態としたことによる効果について説明する。
スイッチ装置１００は、過荷重が操作体７に加えられた際に、板バネ１１の押圧部１２がプッシュスイッチ５の操作部５ａから離れる方向へ動いて操作部５ａへの押圧力を減少させるので、過荷重がプッシュスイッチ５に加えられることが無い。そのため、スイッチ素子であるプッシュスイッチ５の破損を防止することができる。
【００５８】
また、板バネ１１の押圧部１２がプッシュスイッチ５の操作部５ａから離れる方向に動いた後に、押圧部１２は操作部５ａへの押圧を解除するので、プッシュスイッチ５の破損を確実に防止することができる。
【００５９】
また、載置部１４をアーチ状に形成することによって載置部１４と基板３０との間の隙間を大きくすることができるので、操作体７に過荷重が加えられて、当接部１５が基板３０に当接した際、押圧部１２がプッシュスイッチ５の操作部５ａから離れる方向への移動量も増え、操作部５ａへの押圧を確実に解除することができる。
【００６０】
また、支持部１３を筐体２０に固定することによって、簡単な構成でバネ部材１０を支持することができる。
【００６１】
また、板バネ１１に設けられた板バネ開口部１６を取り囲むように環状部１７を形成させたので、一点で固定された支持部１３からの応力を、環状部１７を介して分散させることができ、板バネ１１に掛かる負荷を軽減させることができる。
【００６２】
また、操作体７からの静電気を、突出片１８を介して基板３０のアースパターン３１へ逃がすことができるので、集積回路等の電子部品３７が基板３０上に実装されていても、これらの電子部品３７が静電気によって破壊されることを防止することができる。
【００６３】
また、操作体７が押圧された際に、板バネ１１の突出片１８が基板３０のアースパターン３１から浮くことを、筐体２０に設けられた押さえ部２５によって防止することができる。
【００６４】
以上説明したように、本発明のスイッチ装置は、過荷重が操作体に加えられた際に、板バネの押圧部がスイッチ素子であるプッシュスイッチの操作部から離れる方向へ動いて操作部への押圧力を減少させるので、過荷重がプッシュスイッチに加えられることが無い。そのため、スイッチ素子の破損を防止することができる。
【００６５】
本発明は上記の実施形態に限定されるものではなく、要旨を逸脱しない範囲で種々変更して実施することが可能である。例えば、上述した実施形態においては、板バネ１１の支持部１３が筐体２０の支持支柱２３に固定されて支持される構成について説明したが、板バネ１１の支持構造はこれに限られない。即ち、板バネ１１の支持部１３がスペーサ部材を介して、基板３０に固定されても良い。この場合に、スペーサ部材を板バネ１１の一部で形成した構造とすることも可能である。この場合には、初期状態において、板バネ１１と基板３０とが一部で当接するものとなるが、板バネ１１の載置部１４及び当接部１５等が基板３０に隙間を有して対向配置されていれば、この形態も本発明の技術的範囲に含まれる。
【符号の説明】
【００６６】
５      プッシュスイッチ
５ａ    操作部
５ｂ    端子部
７      操作体
７ａ    ツマミ部
７ｂ    操作体本体
７ｃ    グランド板
７ｄ    突起部
７ｅ    位置決め部
１０    バネ部材
１１    板バネ
１２    押圧部
１３    支持部
１４    載置部
１５    当接部
１６    板バネ開口部
１７    環状部
１８    突出片
１９    位置決め穴
２０    筐体
２１    天面部
２１ａ  開口部
２３    支持支柱
２５    押さえ部
２７    位置決め支柱
２７ａ  突起
２９    案内凹部
３０    基板
３１    アースパターン
３３    スイッチ取付けパターン
３５    ネジ穴
３７    電子部品
４１    ネジ
４５    支柱
１００  スイッチ装置
【図１】
0006399970.tif 000002
【図２】
0006399970.tif 000003
【図３】
0006399970.tif 000004
【図４】
0006399970.tif 000005
【図５】
0006399970.tif 000006
【図６】
0006399970.tif 000007
【図７】
0006399970.tif 000008
【図８】
0006399970.tif 000009
【図９】
0006399970.tif 000010